(57)【要約】      （修正有）【課題】在宅者の意図に反することなく遠隔からの操作を実現し、ユーザの使い勝手を向上させる。【解決手段】操作命令を送信する操作装置１４，１５と、操作命令に従って空調を制御する空気調和器１１と、前記操作装置と通信接続し、操作命令を受信する第一の通信部と、前記空気調和器と通信接続し、運転状態を受信する第二の通信部１０とをそなえ、運転状態が停止状態であるか、操作命令の運転モードが停止モードであるか、または、運転状態と操作命令の運転モードが同一である場合は、操作命令に従った制御命令に基づき空調を制御する。【選択図】図１
2014202418.tif 000002
【特許請求の範囲】
【請求項１】
操作命令を送信する操作装置と、操作命令に従って空調を制御する空気調和器と、前記操作装置と前記空気調和器とを通信で接続する通信装置と、からなる空調システムであって、
前記通信装置は、
前記操作装置と通信接続し、操作命令を受信する第一の通信部と、
前記空気調和器と通信接続し、運転状態を受信する第二の通信部と、
前記第一の通信部から受信した操作命令と前記第二の通信部から受信した運転状態を比較する判断部と、
前記判断部の判断結果に従い、前記第二の通信部から制御命令を送信する制御命令送信部と、
を備え、
前記判断部は、
前記第二の通信部から受信した運転状態が停止状態であるか、第一の通信部から受信した操作命令の運転モードが停止モードであるか、または、前記第二の通信部から受信した運転状態と第一の通信部から受信した操作命令の運転モードが同一である場合は、操作命令に従った制御命令を送信することを特徴とする空調システム。
【請求項２】
請求項１に記載の空調システムにおいて、
前記第二の通信部は運転状態と運転操作元を受信し、
前記判断部は、
第一の通信部から受信した操作命令の運転モードが停止モードであるか、前記第二の通信部から受信した運転状態が停止状態であるか、または、運転操作元が宅内である場合は、操作命令に従った制御命令を送信することを特徴とする空調システム。
【請求項３】
請求項２に記載の空調システムにおいて、
前記空気調和器は、
操作命令を受信する通信部と、
前記操作命令に従って空調の運転状態を制御する制御部と、
操作命令の運転操作元と前記運転状態とを記憶する状態記憶部と、
を備え、
前記状態記憶部に記憶した運転状態と運転操作元を通信部から送信することを特徴とする空調システム。
【請求項４】
請求項１に記載の空調システムであって、
前記操作装置は、
操作命令を送信する通信部と、
通信接続が宅内ネットワークであるか、宅外ネットワークであるかを判断する宅内外判断部と、
空気調和器の運転状態を監視する状態監視部と、
空気調和器の操作を操作入力部と、
前記操作入力部を制御する制御部と、を備え、
前記制御部は、
前記宅内外判断部で宅内ネットワークであると判断した場合、空気調和器の操作を制限無く行えるように操作入力部を制御し、
前記宅内外判断部で宅外ネットワークであると判断した場合、前記状態監視部で監視する空気調和器の運転状態が停止状態であれば、空気調和器の操作を制限無く行えるように操作入力部を制御し、前記状態監視部で監視する空気調和器の運転状態が停止状態でなければ空気調和器の操作を制限して行うように操作入力部を制御することを特徴とする空調システム。
【請求項５】
操作命令を受信する通信部と、
前記操作命令に従って空調の運転状態を制御する制御部と、  空調の運転状態と操作命令の運転操作元とを記憶する状態記憶部と、
前記通信部から受信した操作命令と前記状態記憶部に記憶した運転状態を比較する判断部と、
を備え、
前記判断部は、
前記通信部から受信した操作命令の運転モードが停止モードであるか、前記状態記憶部に記憶した運転状態が停止状態であるか、または、前記状態記憶部に記憶した運転操作元が宅内である場合は、操作命令に従って制御部に運転状態を制御させることを特徴とする空気調和器。
【発明の詳細な説明】
【技術分野】
【０００１】
本発明は、空気調和器、空調システムに関する。
【背景技術】
【０００２】
近年、家庭に設置された空気調和器を家庭の外からネットワークを介して運転操作する事例が知られている。
【先行技術文献】
【特許文献】
【０００３】
【特許文献１】特開２００７−２４４２０公報
【発明の概要】
【発明が解決しようとする課題】
【０００４】
特許文献１には遠隔からの操作をレベル管理し、動的に切換える方法が記載されている。しかし、遠隔から操作したユーザに対する機能制限については記載されていない。
【０００５】
そこで、本発明は、遠隔からの操作に対して機能を制限し、在宅者の意図に反することなく遠隔からの操作を実現し、ユーザの使い勝手を向上することを目的とする。
【課題を解決するための手段】
【０００６】
上記課題を解決するために、例えば特許請求の範囲に記載の構成を採用する。
【発明の効果】
【０００７】
本発明によれば、在宅者の意図に反することなく遠隔からの操作を実現し、ユーザの使い勝手を向上することができる。
【０００８】
上記した以外の課題、構成及び効果は、以下の実施形態の説明により明らかにされる。
【図面の簡単な説明】
【０００９】
【図１】システムの構成例を示すブロック図である。
【図２】通信装置の構成例を示すブロック図である。
【図３】通信シーケンスの一例を示す図である。
【図４】制御許可の対応表の例を示す図である。
【図５】通信装置の制御処理フローの一例を示す図である。
【図６】通信装置の構成例を示すブロック図である。
【図７】状態記憶テーブルの一例を示す図である。
【図８】通信装置の制御処理フローの一例を示す図である。
【図９】空気調和器の構成例を示すブロック図である。
【図１０】状態記憶テーブルの一例を示す図である。
【図１１】通信シーケンスの一例を示す図である。
【図１２】空気調和器の制御処理フローの一例を示す図である。
【図１３】操作装置の構成例を示すブロック図である。
【図１４】通信シーケンスの一例を示す図である。
【図１５】操作装置の制御処理フローの一例を示す図である。
【図１６】制御許可の対応表の例を示す図である。
【図１７】通信シーケンスの一例を示す図である。
【図１８】操作装置の画面表示の一例を示す図である。
【図１９】操作装置の画面表示の一例を示す図である。
【図２０】操作装置の画面表示の一例を示す図である。
【図２１】操作装置の画面表示の一例を示す図である。
【発明を実施するための形態】
【００１０】
以下、実施例について図面を用いて説明する。なお、図面において、同一符号は、同一または相当部分を示す。また、本発明は、図示例に限定されるものではない。
【実施例１】
【００１１】
本実施例は、通信手段を用いて空気調和器を制御する方式について説明する。
【００１２】
図１は本実施例のシステム構成の例である。
10は通信装置、11は空気調和器、12はホームゲートウェイ（以降、ＨＧＷ）、13はサーバ、14は第一の操作装置、15は第二の操作装置、16は第三の操作装置である。通信装置10は、ＨＧＷ12と宅内ＬＡＮで接続され、空気調和器11と通信線で接続される。空気調和器11は通信装置10に接続され、通信線を介し、操作命令を受信し、運転動作を行い、運転状態を返信する。また、空気調和器11は、例えばリモコンなどの第二の操作装置15からリモコン信号を受信し、運転動作を行う。宅内の通信機器は、ＨＧＷ12を介しインターネットに接続する。例えば、携帯電話などの第一の操作装置は、通信網を介しインターネットに接続し、空気調和器11の操作命令をサーバ13に送信する。サーバ13は第一の操作装置14から受信した操作命令を記憶し、通信装置10からの操作命令確認要求に対し、操作命令を送信する。例えば、第一の操作装置と同様にスマートフォンなどの第三の操作装置は宅内ＬＡＮに接続され、空気調和器11の操作命令を通信装置10に送信する。
【００１３】
図２は本実施例の通信装置10の構成例を示すブロック図である。
【００１４】
20は第一の通信部、21は第二の通信部、22は制御部、23は操作命令受信部、24は制御命令送信部、25は操作結果送信部、26は判断部、27は状態監視部である。
第一の操作装置、または第二の操作装置から通信装置10に送信された操作命令は、第一の通信部20で受信し、制御部22に入力される。制御部22に入力された操作命令は操作命令受信部23で受信し、対応する制御命令を制御命令送信部24から第二の通信部21を介し空気調和器11に出力する。状態監視部27は空気調和器11の運転状態を監視する。判断部26は、操作命令の内容と運転状態を比較し、比較結果に応じ制御命令送信部24、または操作結果送信部25に通知する。操作結果送信部は、操作命令に対応した操作結果を第一の通信部20を介し操作装置に送信する。
【００１５】
図３は本実施例の通信シーケンスの一例を示す図である。
Ｓ３０１：ユーザのリモコン操作により暖房運転、２０℃が入力され、空気調和器11は指定された運転を開始する。
Ｓ３０２：第一の操作装置14から冷房運転の操作命令がサーバ13に送信され、サーバ13は操作命令を記憶する。
Ｓ３０３：通信装置10は、操作命令の有無をサーバ13へ確認する。なお、操作命令の確認は定期的に行う。
Ｓ３０４：通信装置10は、サーバ13から冷房運転の操作命令を受信する。
Ｓ３０５：通信装置10は、空気調和器11の運転状態の確認要求を送信する。
Ｓ３０６：空気調和器は、暖房運転状態、２０℃であることを通信装置11に送信する。
Ｓ３０７：空気調和器の運転状態と操作命令の運転命令内容が異なるため、操作命令に対応不可である操作結果をサーバ13に送信する。
Ｓ３０８：サーバ13は、操作結果を第一の操作装置14に送信する。
Ｓ３０９：第一の操作装置14から暖房運転、２３℃の操作命令がサーバ13に送信され、サーバ13は操作命令を記憶する。
Ｓ３１０：通信装置10は、操作命令の有無をサーバ13へ確認する。
Ｓ３１１：通信装置10は、サーバ13から暖房運転、２３℃の操作命令を受信する。
Ｓ３１２：通信装置10は、空気調和器11の運転状態の確認要求を送信する。
Ｓ３１３：空気調和器は、暖房運転状態、２０℃であることを通信装置11に送信する。
Ｓ３１４：通信装置10は、空気調和器の運転状態と操作命令の運転命令内容が同じであるため、暖房運転、２３℃の制御命令を空気調和器11に送信する。
Ｓ３１５：空気調和器は、制御命令を受信したことを通信装置11に送信する。
Ｓ３１６：通信装置10は、空気調和器11の運転状態の確認要求を送信する。
Ｓ３１７：空気調和器は、暖房運転状態、２３℃であることを通信装置11に送信する
Ｓ３１８：通信装置10は、操作命令に対応し空気調和器11の制御に成功した操作結果をサーバ13に送信する。
Ｓ３１９：サーバ13は、操作結果を第一の操作装置14に送信する。
【００１６】
なお、Ｓ３０６において、運転状態とともに図１０（ａ）のように記録した操作元を通知してもよい。
【００１７】
図４は本実施例の制御許可の対応表の例を示す図である。
【００１８】
操作命令に指定した運転内容と空気調和器11の運転状態が同一の場合は、操作命令を許可する。停止状態の場合は、全ての運転内容を指定した操作命令を許可する。停止の運転内容を指定した操作命令は、全ての運転状態に対し許可する。空気調和器11の運転状態が停止状態でない場合、運転状態と異なる運転内容を指定した操作命令は許可しない。例えば、冷房運転中に暖房運転の操作命令は許可しない。
【００１９】
図５は本実施例の通信装置の制御処理フローの一例を示す図である。
Ｓ５０１：操作命令を受信する。
Ｓ５０２：操作命令は停止を指定しているか判定する。
Ｓ５０３：空気調和器に制御命令を送信する。
Ｓ５０４：通信装置10は、空気調和器11の運転状態を取得し、操作結果の内容を成功にする。
Ｓ５０５：操作結果を送信する。
Ｓ５０６：Ｓ５０２で操作命令に停止以外の運転命令を指定している場合、空気調和器11の運転状態を確認し、停止中であればＳ５０３に移行する。
Ｓ５０７：Ｓ５０７で空気調和器の運転状態が停止でない場合、空気調和器の運転状態と操作命令の運転命令内容を比較し、同一である場合、Ｓ５０３に移行する。
Ｓ５０８：Ｓ５０７で空気調和器の運転状態と操作命令の運転命令内容が同一でない場合、操作結果の内容を対応不可にし、Ｓ５０５に移行する。
【００２０】
図１８は本実施例の操作装置の画面表示の一例を示す図である。
1801は運転操作の内容を指定する領域である。1802は運転操作領域1801で指定した命令を送信するボタンである。1803は運転操作命令の結果を表示する領域である。1804は空気調和器の運転状態を表示する領域である。
【００２１】
本画面は、図３のＳ３０２で運転状態と異なる命令を送信した場合に、Ｓ３０８で受信した内容を表示した画面である。操作結果が表示されるので、ユーザは操作を受け付けられない理由を知ることができる。
【００２２】
図１９は本実施例の操作装置の画面表示の一例を示す図である。本画面は、図３のＳ３０９で運転状態と同一の命令を送信した場合に、Ｓ３１９で受信した内容を表示した画面である。
【実施例２】
【００２３】
本実施例は、空気調和器の運転を命令した操作元に応じて通信装置で制御する方式について説明する。実施例１と同じ内容は省略する。
【００２４】
図６は本実施例の通信装置10の構成例を示すブロック図である。
60は状態記憶部である。
【００２５】
第一の通信部20で受信し、制御部22に入力された操作命令に対応する制御命令を制御命令送信部24から第二の通信部21を介し空気調和器11に出力し、状態監視部27は空気調和器11の運転状態を監視する。指定した制御命令に対応した運転状態になると、状態記憶部に第一の通信部20で受信した操作命令の送信元と運転状態を記憶する。
状態監視部27は定期的に空気調和器11の運転状態を監視する。操作命令を受信していないときに、空気調和器11の動作状態が変化した場合は、第二の操作装置により運転が指示されたと判断し、送信元と運転状態を記憶する。
【００２６】
図７は本実施例の状態記憶部60のテーブルの一例を示す図である。
図７（ａ）：操作元が第二の操作装置あるいは第三の操作装置であることを示す宅内であること、及び、運転状態が冷房であることを記憶している。
図７（ｂ）：操作元が第一の操作装置であることを示す宅外であること、及び、運転状態が暖房であることを記憶している。
【００２７】
図８は本実施例の通信装置の制御処理フローの一例を示す図である。
Ｓ８０１：操作命令を受信する。
Ｓ８０２：操作命令は停止を指定しているか判定する。
Ｓ８０３：空気調和器に制御命令を送信する。
Ｓ８０４：通信装置10は、空気調和器11の運転状態を取得し、操作結果の内容を成功にする。
Ｓ８０５：操作結果を送信する。
Ｓ８０６：Ｓ８０２で操作命令に停止以外の運転命令を指定している場合、空気調和器11の運転状態を確認し、停止中であればＳ８０３に移行する。
Ｓ８０７：Ｓ８０６で空気調和器の運転状態が停止でない場合、現在の空気調和器の運転を指令した操作元を確認し、宅内である場合はＳ８０３に移行し、宅外である場合は、操作結果の内容を対応不可にし、Ｓ８０５に移行する。
【００２８】
以上により、宅内の操作を宅外より優先することができる。
【実施例３】
【００２９】
本実施例は、空気調和器の運転を命令した操作元に応じて空気調和器で制御する方式について説明する。実施例１と同じ内容は省略する。
【００３０】
図９は本実施例の空気調和器11の構成例を示すブロック図である。
90は通信部である。91は受信部である。92は負荷駆動部である。
通信部90は、通信装置10から出力される制御命令を受信し、制御部22の操作命令受信部23に入力する。
【００３１】
受信部91は、第二の操作装置15から出力される制御信号を受信し、制御部22の操作命令受信部23に入力する。
【００３２】
負荷駆動部92は、制御部22の制御に従い、図示しない接続されたコンプレッサ、四方弁、送風機、イオン放出装置等の機能負荷部品の制御を行い、所要の運転を行う。
通信部90または受信部91で受信し、制御部22に入力された操作命令に対応する制御命令に従い負荷駆動部92を制御する。指定した制御命令に対応した運転状態になると、状態記憶部に通信90で受信した操作命令の操作元と運転状態を記憶する。
【００３３】
なお、通信装置10を空気調和機10に内蔵してもよい。
【００３４】
図１０は本実施例の状態記憶部60のテーブルの一例を示す図である。
図１０（ａ）：操作元が第一の操作装置であることを示す宅外であること、及び、運転状態が冷房であることを記憶している。
図１０（ｂ）：操作元が第二の操作装置であることを示す宅内であること、及び、運転状態が暖房であることを記憶している。
図１０（ｃ）：操作元が第三の操作装置であることを示す宅内であること、及び、運転状態が送風であることを記憶している。
【００３５】
図１１は本実施例の通信シーケンスの一例を示す図である。
Ｓ１１０１：ユーザのリモコン操作により暖房運転、２０℃が入力され、空気調和器11は指定された運転を開始する。
Ｓ１１０２：第一の操作装置14から冷房運転の操作命令がサーバ13に送信され、サーバ13は操作命令を記憶する。
Ｓ１１０３：通信装置10は、操作命令の有無をサーバ13へ確認する。なお、操作命令の確認は定期的に行う。
Ｓ１１０４：通信装置10は、サーバ13から冷房運転の操作命令を受信する。
Ｓ１１０５：通信装置10は、冷房運転の制御命令を空気調和器11に送信する。
Ｓ１１０６：空気調和器は、現在の運転状態を指令した操作元が宅外であるため、操作命令に対応不可である操作結果を通信装置10に送信する。
Ｓ１１０７：通信装置は、操作命令が対応不可である操作結果をサーバ13に送信する。
Ｓ１１０８：サーバ13は、操作結果を第一の操作装置14に送信する。
【００３６】
図１２は本実施例の空気調和器の制御処理フローの一例を示す図である。
Ｓ１２０１：操作命令を受信する。
Ｓ１２０２：操作命令は停止を指定しているか判定する。
Ｓ１２０３：制御命令を実行し、操作結果の内容を成功にする。
Ｓ１２０４：操作結果を送信する。
Ｓ１２０５：Ｓ１２０２で操作命令に停止以外の運転命令を指定している場合、運転状態を確認し、停止中であればＳ１２０３に移行する。
Ｓ１２０６：Ｓ１２０５で空気調和器の運転状態が停止でない場合、現在の空気調和器の運転を指令した操作元を確認し、宅内である場合はＳ１２０３に移行し、宅外である場合は、操作結果の内容を対応不可にし、Ｓ１２０４移行する。
【００３７】
以上により、宅内の操作を宅外より優先することができる。
【実施例４】
【００３８】
本実施例は、操作装置の接続された通信環境に応じた制御を行う方式について説明する。実施例１と同じ内容は省略する。
【００３９】
図１３は本実施例の第一の操作装置14または第三の操作装置16の構成例を示すブロック図である。
【００４０】
130は通信部、131はユーザインタフェース部、132は制御部、133は操作命令送信部、134は表示制御部、135は宅内外判断部、136は入力部、137は状態監視部である。
通信部130は通信装置10と通信を行う。制御部132はユーザインタフェースの操作に従い、操作命令を通信130を介し、通信装置10に出力する。ユーザインタフェースの操作は、入力部136に入力され、操作命令送信部133から通信部130に入力される。宅内外監視部135は、操作装置16が例えば宅内ＬＡＮ等の宅内ネットワークに接続されているか、例えば携帯網等の宅外ネットワークに接続されているかを監視する。状態監視部137は、通信装置10と通信し、空気調和器11の運転状態を監視する。表示制御部134は、宅内外監視部135、状態監視部137の情報をもとにユーザインタフェース131に表示する内容を変更する。
【００４１】
図１４は本実施例の通信シーケンスの一例を示す図である。
Ｓ１４０１：操作命令を受信する。
Ｓ１４０２：運転状態確認を要求する。
Ｓ１４０３：暖房運転状態であることを通知する。
なお、Ｓ１４０２、Ｓ１４０３は定期的に実行してもよい。
Ｓ１４０４：運転状態に変化が発生したことを送信する。
Ｓ１４０５：運転状態確認を要求する。
Ｓ１４０６：暖房運転状態であることを回答する。
Ｓ１４０７：冷房運転の制御命令を送信する。
Ｓ１４０８：冷房運転の制御命令を送信する。
Ｓ１４０９：空気調和器は、制御命令を受信したことを通信装置11に送信する。
Ｓ１４１０：運転状態に変化が発生したことを送信する。
Ｓ１４１１：運転状態確認を要求する。
Ｓ１４１２：冷房運転状態であることを回答する。
【００４２】
図１５は本実施例の操作装置の制御処理フローの一例を示す図である。
Ｓ１５０１：例えば、アプリケーション起動等、ユーザ操作によりユーザインタフェース部131への空気調和器操作画面の表示要求が入力部136に入力される。
Ｓ１５０２：宅内外判断部135は宅内ネットワークに接続されているか判定する。
Ｓ１５０３：宅内に接続されている場合、表示制御部134は制限の無い操作パラメータを設定する。
Ｓ１５０４：表示制御部134は、制限の無いパラメータ設定に従い、ユーザインタフェース部131へ画面表示を行う。
Ｓ１５０５：宅外に接続され、状態監視部137で監視する空気調和器が停止状態の場合、表示制御部134は制限の無い操作パラメータを設定する。
Ｓ１５０６：宅外に接続され、状態監視部137で監視する空気調和器が停止状態でない場合、表示制御部134は制限の有る操作パラメータを設定する。
ここで、制限の有るパラメータ設定とは、図４の制御許可の対応表に従い、状態監視部137で監視する空気調和器の運転状態に対し、各々の運転状態に対して許可された運転状態のみをパラメータとして設定することである。これにより、宅外で操作する場合は、現在の運転状態に対して許可された運転状態のみを表示し使用可能にする、といったことが可能となる。宅内では制限の無いパラメータであり、全ての機能を表示し使用可能にする、といったことが可能となる。
【００４３】
以上により、宅内の操作を宅外より優先することができる。
【００４４】
図２０は本実施例の操作装置の画面表示の一例を示す図である。
【００４５】
2001は、宅内外監視部135、状態監視部137の情報を元に選択可能な運転モードを表示する領域である。本画面は、図１５のＳ１５０３で制限無のパラメータ設定を行った場合に表示する画面である。宅内からの操作であるので、全ての運転モードが選択可能となる。
【００４６】
図２１は本実施例の操作装置の画面表示の一例を示す図である。
【００４７】
本画面は、図１５のＳ１５０５で制限有のパラメータ設定を行った場合に表示する画面である。宅外からの操作であり、現在の運転状態が暖房運転であるので、選択可能な運転モードは暖房のみとなる。
【実施例５】
【００４８】
本実施例は、運転命令の内容に応じて、空気調和システムの制御を行う方式について説明する。実施例１と同じ内容は省略する。
図１６は本実施例の制御許可の対応表の例を示す図である。
宅外から操作する場合、暖房運転は冬季のみ、冷房運転は夏季のみ、除湿運転は梅雨時期のみ使用可能とすることで、操作の誤りを回避することができる。操作可能な温度幅や風速を宅内よりせばめることにより、操作の誤りを回避することができる。
【実施例６】
【００４９】
本実施例は、運転結果をメールで送信する方式について説明する。実施例１と同じ内容は省略する。
【００５０】
図１７は本実施例の通信シーケンスの一例を示す図である。
Ｓ１７０１：操作命令を受信する。
Ｓ１７０２：通信装置10は、暖房運転を開始し、第一の操作装置に指定されたメールアドレスに対し、操作結果を送信する。
Ｓ１７０３：通信装置10から送信されたメールを受信したＳＭＴＰサーバは、第一の操作装置に指定されたメールアドレスのＰＯＰサーバにメールを送信する。
Ｓ１７０４：第一の操作装置はＰＯＰサーバに対しメールの有無を確認し、ＰＯＰサーバは着信があることを通知する。
Ｓ１７０５：第一の操作装置はＰＯＰサーバに対し着信メールを要求する。 
Ｓ１７０６：ＰＯＰサーバは第一の操作装置にメールを送信する。
【００５１】
以上により、ユーザは運転操作を行った際、動作結果をメールで受信することにより、結果確認を確実に行うことが可能である。
【００５２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【００５４】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５５】
10  通信装置
11  空気調和器
12  ホームゲートウェイ（ＨＧＷ）
13  サーバ
14  第一の操作装置
15  第二の操作装置
16  第三の操作装置
20  第一の通信部
21  第二の通信部
22  制御部
23  操作命令受信部
24  制御命令送信部
25  操作結果送信部
26  判断部
27  状態監視部
60  状態記憶部
90  通信部
91  受信部
92  負荷駆動部
130  通信部
131  ユーザインタフェース部
132  制御部
133  操作命令送信部
134  表示制御部
135  宅内外判断部
136  入力部
137  状態監視部
【図１】
2014202418.tif 000003
【図２】
2014202418.tif 000004
【図３】
2014202418.tif 000005
【図４】
2014202418.tif 000006
【図５】
2014202418.tif 000007
【図６】
2014202418.tif 000008
【図７】
2014202418.tif 000009
【図８】
2014202418.tif 000010
【図９】
2014202418.tif 000011
【図１０】
2014202418.tif 000012
【図１１】
2014202418.tif 000013
【図１２】
2014202418.tif 000014
【図１３】
2014202418.tif 000015
【図１４】
2014202418.tif 000016
【図１５】
2014202418.tif 000017
【図１６】
2014202418.tif 000018
【図１７】
2014202418.tif 000019
【図１８】
2014202418.tif 000020
【図１９】
2014202418.tif 000021
【図２０】
2014202418.tif 000022
【図２１】
2014202418.tif 000023